(57)【要約】【課題】高解像度映像信号を分割して記録し、分割した映像信号の一部が欠落した場合に、映像全体が再生できないという課題がある。【解決手段】記録装置は、映像信号を入力する入力部と、入力部からの１フレームの映像信号について、解像度を変換し、変換済映像を出力する解像度変換部２と、入力部からの１フレームの映像信号を空間的に分割し、複数の分割映像と分割前の映像信号における分割映像の位置を示す分割位置識別情報とを出力する分割部１と、入力部からの１フレームの映像信号に対して、変換済映像及び分割映像に同一の映像識別情報を付与する映像識別情報付与部３と、複数の記録媒体へ情報を記録する記録部と、記録部を介して、映像識別情報とともに変換済映像を、映像識別情報及び分割位置識別情報とともに分割映像を、それぞれ記録媒体に記録するよう制御する記録制御部４と、を備える。【選択図】図１
2011091478.tif 000002
【特許請求の範囲】
【請求項１】
映像信号を入力する入力部と、
前記入力部からの１フレームの映像信号について、解像度を変換し、変換済映像を出力する解像度変換部と、
前記入力部からの１フレームの映像信号を空間的に分割し、複数の分割映像と分割前の映像信号における前記分割映像の位置を示す分割位置識別情報とを出力する分割部と、
同一の映像信号に対応する前記変換済映像及び前記分割映像に、同一の映像識別情報を付与する映像識別情報付与部と、
複数の記録媒体へ情報を記録する記録部と、
前記記録部を介して、前記映像識別情報とともに前記変換済映像を、前記映像識別情報及び前記分割位置識別情報とともに前記分割映像を、それぞれ記録媒体に記録するよう制御する記録制御部と、
を備える記録装置。
【請求項２】
前記記録制御部は、
入力された映像信号を一意に識別するためのコンテンツ識別情報を、前記記録媒体に記録するよう制御する
請求項１に記載の記録装置。
【請求項３】
１フレームの映像信号の解像度を変換した変換済映像、及び前記１フレームの映像信号を識別するための映像識別情報、又は前記１フレームの映像信号を空間的に分割した分割映像、分割前の映像信号における前記分割映像の位置を示す分割位置識別情報、及び前記１フレームの映像信号を識別する映像識別情報が、記録された複数の記録媒体から、映像を再生する再生装置であって、
前記複数の記録媒体から情報を読み出す読み出し部と、
前記読み出し部を介して、同一の映像識別情報を有する前記変換済映像及び前記分割映像を読み出すよう制御する映像識別情報抽出制御部と、
前記分割位置識別情報を基に前記複数の分割映像から分割前の映像を構成する映像を生成する分割映像再生部と、
前記変換済映像の解像度を変換する解像度変換部と、
映像を再生する出力部と、
前記出力部に、前記分割映像再生部又は前記解像度変換部の出力映像のいずれかを選択して出力する出力制御部と、
を備える再生装置。
【請求項４】
前記出力制御部は、通常再生時には前記分割映像再生部の出力映像を、特殊再生時には前記解像度変換部の出力映像を選択して出力する
請求項３に記載の再生装置。
【発明の詳細な説明】
【技術分野】
【０００１】
本発明は、入力された映像信号に対して、空間的な分割、または解像度の変換を行い、複数の記録媒体に記録する記録装置、及び複数の記録媒体に記録された映像を再生する再生装置に関するものである。
【背景技術】
【０００２】
ディジタルテレビジョン放送を始めとして、映像の高画質化が進んでおり、ＨＤ（Ｈｉｇｈ  Ｄｅｆｉｎｉｔｉｏｎ）映像や、さらに高解像度な水平画素数４０００×垂直画素数２０００前後の映像やその上の水平画素数８０００×垂直画素数４０００に対応した機器の開発が進められている。
【０００３】
このような高解像度の映像を記録する場合、記録装置は、圧縮処理時の負荷や、記録容量の問題、映像画質品質の問題から、映像をそのまま圧縮して記録するには困難な場合がある。
【０００４】
これに対応するために、例えば特許文献１では、入力映像信号によって表される画像フレームを複数の領域に区分けし、領域毎に入力映像信号を分割して夫々個別に圧縮符号化したものを記録媒体に記録することにより、分割された映像信号の各々は低解像度となるため、高画質な映像信号の記録が可能となる。
【先行技術文献】
【特許文献】
【０００５】
【特許文献１】特開２００４−２１４８６１号公報
【発明の概要】
【発明が解決しようとする課題】
【０００６】
しかしながら、上記従来の構成では、分割された映像信号が一部が欠落した場合に、映像全体が再生できないという課題がある。また、分割した映像信号を異なる記録媒体に記録する場合の検討がなされていないという課題がある。
【課題を解決するための手段】
【０００７】
上記課題を解決するために、本発明の記録装置は、映像信号を入力する入力部と、前記入力部からの１フレームの映像信号について、解像度を変換し、変換済映像を出力する解像度変換部と、前記入力部からの１フレームの映像信号を空間的に分割し、複数の分割映像と分割前の映像信号における前記分割映像の位置を示す分割位置識別情報とを出力する分割部と、前記入力部からの１フレームの映像信号に対して、前記変換済映像及び前記分割映像に同一の映像識別情報を付与する映像識別情報付与部と、複数の記録媒体へ情報を記録する記録部と、前記記録部を介して、前記映像識別情報とともに前記変換済映像を、前記映像識別情報及び前記分割位置識別情報とともに前記分割映像を、それぞれ記録媒体に記録するよう制御する記録制御部と、を備える。
【発明の効果】
【０００８】
上記の構成によって、記録された映像を再生する際に、分割された映像信号の一部が欠落した場合においても、解像度を変換した変換済映像を再生することによって、映像を途切れることなく再生することができる。
【図面の簡単な説明】
【０００９】
【図１】実施の形態１における記録装置の構成を示すブロック図
【図２】実施の形態１における再生装置の構成を示すブロック図
【図３】実施の形態１における記録装置の動作を示すフローチャート
【図４】実施の形態１における再生装置の動作を示すフローチャート
【図５】実施の形態１における記録媒体上のデータ構成の一例を示す図
【図６】実施の形態１における記録媒体上のデータ構成の他の一例を示す図
【発明を実施するための形態】
【００１０】
以下、本発明を実施するための形態について、図面を参照して説明する。
【００１１】
（実施の形態１）
（１−１．記録装置の構成）
図１は実施の形態１における記録装置の構成を示すブロック図である。図１において、記録装置は、入力された高解像度映像信号をフレーム毎に空間分割する映像空間分割部１と、入力された高解像度映像信号を低解像度映像信号に解像度変換するダウンコンバート部２と、空間分割された映像の空間位置情報を読み取り、映像識別情報（ＵＭＩＤ）として空間分割映像と関連づける映像識別情報（ＵＭＩＤ）付与制御部３と、映像信号に合わせて映像識別情報（ＵＭＩＤ）と記録媒体を識別するシリアル番号などの記録媒体個別情報を付与する映像識別情報（ＵＭＩＤ）付与部４と、ダウンコンバートした低解像度映像信号と映像識別情報（ＵＭＩＤ）を記録するマスター記録媒体５と、空間分割された映像信号と映像識別情報（ＵＭＩＤ）を記録するスレーブ記録媒体群６で構成される。なお、スレーブ記録媒体群６の各記録媒体それぞれをスレーブ記録媒体７と称する。
【００１２】
映像空間分割部１は、１フレームの高解像度映像信号を入力とし、入力された高解像度映像信号を空間的に分割し、分割した映像信号を出力する。映像空間分割部１は、色空間分割部１４、面空間分割部１５及び面空間シャフリング部１６により構成される。色空間分割部１４は、ＲＧＢ信号またはＹＰＢＰＲ信号の色信号要素をそれぞれ分離する処理を行なう。面空間分割部１５は、高解像度１フレーム内の映像信号をスレーブ記録媒体群６の記録媒体数＝ｎで、１／ｎ等分の面空間分割する処理を行なう。面空間シャフリング部１６は、面空間分割部１５にて１フレーム内の映像信号をｎ個に空間分割したそれぞれのブロックから、ランダムにかつ均等にその画素要素を取り出し、再度ｎ個のグループに分ける処理を行なう。
【００１３】
なお、本実施の形態１では、面空間分割部１５は、スレーブ記録媒体群６の記録媒体数ｎで、面空間分割するとしたが、分割数はこれに限られず、記録媒体数ｎより少ない数であってもよい。
【００１４】
ダウンコンバート部２は、１フレームの高解像度映像信号を入力とし、高解像度映像１フレーム分の映像信号をマスター記録媒体５の記録時間とスレーブ記録媒体群６の記録時間容量が等価となる１／ｎ解像度のダウンコンバート解像度変換を行い、低解像度映像信号を生成する。ダウンコンバート部２は、画素間引き部１７及び水平／垂直ダウンサンプル部１８で構成される。画素間引き部１７は、１フレームの高解像度映像信号を入力とし、入力された高解像度映像信号を、時間軸方向にサンプルの間引き処理を行ない、信号帯域ビットレートの削減処理を行なう。水平／垂直ダウンサンプル部１８は、画素間引き部１７にて間引き処理された映像信号に対して、水平及び垂直のダウンコンバートフィルター処理を行ない、低解像度の周波数帯域に収まる帯域制限をかけ、低解像度映像信号を生成する。
【００１５】
映像識別情報（ＵＭＩＤ）付与制御部３は、映像空間分割部１にて分割されたｎ個の分割映像信号から、後述するさまざまな映像識別情報（ＵＭＩＤ）を生成すると共に、映像識別情報（ＵＭＩＤ）を適切なタイミングで付加する制御信号を生成し、映像識別情報（ＵＭＩＤ）付与部４に出力する。
【００１６】
映像識別情報（ＵＭＩＤ）付与部４は、マスター記録媒体５とスレーブ記録媒体群６のシリアル番号などの記録媒体個別情報を読み取ると共に、映像識別情報（ＵＭＩＤ）付与制御部３から入力された映像識別情報（ＵＭＩＤ）及びその制御信号と映像空間分割部１から入力された空間分割映像信号とを結びつけ、スレーブ記録媒体群６に出力し記録する。あわせて、映像識別情報（ＵＭＩＤ）付与制御部３から入力された映像識別情報（ＵＭＩＤ）及びその制御信号とダウンコンバート部２から入力された低解像度映像信号とを結びつけ、マスター記録媒体５に出力し記録する。
【００１７】
（１−２．再生装置の構成）
図２は実施の形態１における再生装置の構成を示すブロック図である。図２において、再生装置は、マスター記録媒体５とスレーブ記録媒体群６を同時にまたは個別に再生し、それぞれからフレーム毎に映像識別情報（ＵＭＩＤ）を抽出する映像識別情報（ＵＭＩＤ）抽出部８と、抽出した映像識別情報（ＵＭＩＤ）から各種出力信号を制御する映像識別情報（ＵＭＩＤ）抽出結合制御部９と、映像識別情報（ＵＭＩＤ）抽出結合制御部９からの制御信号を基に分割映像をフレーム毎にひとつの高解像度映像信号に結合する映像空間結合部１０と、マスター記録媒体５から再生される低解像度映像信号をアップコンバート解像度変換するアップコンバート部１１と、映像識別情報（ＵＭＩＤ）抽出結合制御部９からの情報を基に映像空間結合部１０からの高解像度映像出力信号とアップコンバート部１１からの高解像度映像出力信号とを選択する出力選択部１２で構成される。なお、全ての出力信号の同期位相を合わせるために、映像識別情報（ＵＭＩＤ）抽出結合制御部９からの制御信号を基に出力同期制御部１３にて同期信号を生成し、アップコンバート部１１とメモリ部２２に出力し、全ての出力位相を合わせる。
【００１８】
映像識別情報（ＵＭＩＤ）抽出部８は、マスター記録媒体５とスレーブ記録媒体群６を同時にまたは個別に再生し、マスター記録媒体５からの再生信号において、その信号の中から映像識別情報（ＵＭＩＤ）を抽出し、その情報を映像識別情報（ＵＭＩＤ）抽出結合制御部９へ出力する。及び、スレーブ記録媒体群６からの再生信号において、その信号の中から映像識別情報（ＵＭＩＤ）を抽出し、その情報を映像識別情報（ＵＭＩＤ）抽出結合制御部９へ出力する。あわせて、スレーブ記録媒体群６の再生信号から、空間分割映像信号と映像識別情報（ＵＭＩＤ）の時間的および空間的関連性を映像識別情報（ＵＭＩＤ）抽出結合制御部９へ出力する。マスター記録媒体５から再生された低解像度映像を含んだ再生信号は、映像識別情報（ＵＭＩＤ）抽出部８にて映像識別情報（ＵＭＩＤ）を抽出したあと、アップコンバート部１１へ出力される。また、スレーブ記録媒体群６から再生された１／ｎ空間分割映像を含んだ信号は、映像識別情報（ＵＭＩＤ）抽出部８にて映像識別情報（ＵＭＩＤ）を抽出したあと、映像空間結合部１０へ出力される。
【００１９】
映像識別情報（ＵＭＩＤ）抽出結合制御部９は、空間分割された１／ｎの空間分割映像信号を結合するために、分割映像それぞれの映像識別情報（ＵＭＩＤ）を解読分析し、映像空間結合部１０へ適切なタイミングで出力する。あわせて、映像空間結合部１０で生成される高解像度映像信号と、アップコンバート部１１で生成される高解像度映像信号と、メモリ２２から出力される低解像度映像信号のそれぞれの出力タイミングを制御する信号を、それぞれのブロックに出力する。さらに、映像識別情報（ＵＭＩＤ）抽出部８で抽出した映像識別情報（ＵＭＩＤ）に何らかの欠落などがあり、映像空間結合部１０にて、正しく分割映像を結合できない場合などに備え、出力選択部１２へ、映像空間結合部１０で生成される高解像度映像信号と、アップコンバート部１１で生成される高解像度映像信号のどちらを最終出力するのかの選択信号を出力する。
【００２０】
アップコンバート部１１は、低解像度映像信号の入力に対し、水平及び垂直フィルターを通して画素補間を行うことで高解像度映像信号への変換を行ない、出力選択部１２へ出力する。
【００２１】
映像空間結合部１０は、面空間デシャフリング部１９、面空間結合部２０及び色空間結合部２１により構成される。面空間デシャフリング部１９は、分割シャフリングされた映像を映像識別情報（ＵＭＩＤ）抽出結合制御部９からの制御信号を元に、デシャフリング変換する。面空間結合部２０は、空間分割された１／ｎの高解像度映像信号を映像識別情報（ＵＭＩＤ）抽出結合制御部９からの制御信号を元に、１フレーム分の高解像度映像信号に結合する。色空間結合部２１は、ＲＧＢ信号またはＹＰＢＰＲ信号の色信号の各要素に分離されていた信号を元の並びに並べなおし、出力選択部１２へ出力する。
【００２２】
出力選択部１２は、映像識別情報（ＵＭＩＤ）抽出結合制御部９からの制御信号を元に、映像空間結合部１０で生成された高解像度映像信号と、アップコンバート部１１で生成された高解像度映像信号のどちらを最終出力するのかを選択し出力する。
【００２３】
（１−３．映像識別情報のデータ構造）
図５に、マスター記録媒体５に記録される映像識別情報（ＵＭＩＤ）のデータ構造を示す。
【００２４】
映像識別情報（ＵＭＩＤ）は、記録されるクリップ毎に、記録機器シリアルＮｏと、スレーブ記録媒体シリアルＮｏ及び１／ｎ分割位置ＩＤと、コンテンツＩＤと、マスターＩＤとを保持する。また、フレーム毎に、フレームＮｏと、年月日時刻と、タイムコードとを保持する。
【００２５】
ここで、クリップとは、業務用カムコーダで撮影を行った場合に、撮影開始から終了までの映像信号ファイル、音声信号ファイル及びこれら映像信号等に関するメタデータのファイルからなる一つのまとまりである。
【００２６】
図６に、スレーブ記録媒体郡６中のスレーブ記録媒体７に記録される映像識別情報（ＵＭＩＤ）のデータ構造を示す。
【００２７】
映像識別情報（ＵＭＩＤ）は、記録されるクリップ毎に、記録機器シリアルＮｏと、マスター記録媒体シリアルＮｏと、１／ｎ分割位置ＩＤと、コンテンツＩＤと、スレーブＩＤとを保持する。また、フレーム毎に、フレームＮｏと、年月日時刻と、タイムコードとを保持する。
【００２８】
記録機器シリアルＮｏは、クリップを記録した記録機器を一意に識別するために、機器毎に付与されたシリアルＮｏであり、この値により、どの記録機器によって、クリップが記録されたかを判別することができる。
【００２９】
スレーブ記録媒体シリアルＮｏは、記録媒体にあらかじめ所持されているシリアルＮｏを読み取り、スレーブの記録媒体毎に、その記録媒体を一意に識別するために付与された識別情報である。
【００３０】
マスター記録媒体シリアルＮｏは、記録媒体にあらかじめ所持されているシリアルＮｏを読み取り、マスターの記録媒体毎に、その記録媒体を一意に識別するために付与された識別情報である。
【００３１】
１／ｎ分割位置ＩＤは、１／ｎ等分の面空間分割を行うときに、１／ｎ等分の面空間分割のどの部分の映像信号かを識別するための識別情報である。
【００３２】
コンテンツＩＤは、記録毎にユニークな値となるように、本機にて自己生成したクリップ固有の識別情報である。
【００３３】
マスターＩＤは、マスター記録媒体に、ダウンコンバート映像を記録したことを示す識別情報である。
【００３４】
スレーブＩＤは、スレーブ記録媒体に、高解像度映像の１／ｎ等分の面空間分割映像を記録したこと示す識別情報である。
【００３５】
フレームＩＤは、映像音声信号を構成するフレームを一意に識別するための付与された識別情報である。
【００３６】
年月日時刻は、フレーム毎に付与され、そのフレームの記録が開始された年月日時刻に関する情報である。
【００３７】
タイムコードは、映像音声の記録再生装置において同期及び編集で用いられる情報であり、時間情報等を基に規定される。
【００３８】
（２−１．記録装置の動作）
図３は、図１に示す記録装置の動作を示すフローチャートである。
【００３９】
記録装置は、高解像度映像信号が入力される（Ｓ３０１）。記録装置は、入力された映像信号を、映像空間分割部１とダウンコンバート部２にそれぞれ分配する。映像空間分割部１とダウンコンバート部２とは、それぞれ同時に動作する。
【００４０】
映像空間分割部１は、高解像度映像１フレーム分の信号に対してスレーブ記録媒体群６の記録媒体数＝ｎで、１／ｎ等分の面空間分割を行う（Ｓ３０２）。映像空間分割部１は、映像識別情報（ＵＭＩＤ）付与制御部３へ映像空間分割した情報とそのタイミングを出力するとともに、映像識別情報（ＵＭＩＤ）付与部４へ、分割した高解像度映像を出力する。
【００４１】
ダウンコンバート部２は、高解像度映像１フレーム分の信号に対して、マスター記録媒体の記録時間とスレーブ記録媒体群の記録時間容量が等価となる１／ｎ解像度のダウンコンバート解像度変換を行い、低解像度映像を生成する（Ｓ３０３）。
【００４２】
映像識別情報（ＵＭＩＤ）付与制御部３は、映像空間分割部１から得られるそれぞれの空間分割映像に対する空間分割位置情報を読み取り、読み取った空間分割情報とそのタイミング情報とを映像識別情報（ＵＭＩＤ）付与部４へ出力する（Ｓ３０４）。
【００４３】
映像識別情報（ＵＭＩＤ）付与部４は、スレーブ記録媒体７のシリアル番号などの記録媒体個別情報を読み取ると共に、空間分割映像信号にあわせて映像識別情報（ＵＭＩＤ）を付与しスレーブ記録媒体群６に出力し記録する（Ｓ３０５）。
【００４４】
映像識別情報（ＵＭＩＤ）付与部４は、さらに、マスター記録媒体５のシリアル番号などの記録媒体個別情報を読み取ると共に、ダウンコンバート変換映像信号にあわせて映像識別情報（ＵＭＩＤ）を付与しマスター記録媒体５に出力し記録する（Ｓ３０６）。
【００４５】
（２−２．再生装置の動作）
図４は、図２に示す再生装置の動作を示すフローチャートである。
【００４６】
再生装置は、マスター記録媒体５とスレーブ記録媒体群６を同時または個別に再生した信号を、映像識別情報（ＵＭＩＤ）抽出部８に出力する。
【００４７】
映像識別情報（ＵＭＩＤ）抽出部８は、スレーブ記録媒体群６からの再生信号から、図５に示す映像識別情報（ＵＭＩＤ）を毎フレーム抽出し（Ｓ４０１）、フレーム毎に抽出した映像識別情報（ＵＭＩＤ）に欠落がないかを判別し（Ｓ４０３）、抽出した映像識別情報（ＵＭＩＤ）および欠落の有無の判別情報を、映像識別情報（ＵＭＩＤ）抽出結合制御部９及び映像空間結合部１０に出力する。
【００４８】
映像識別情報（ＵＭＩＤ）抽出部８は、マスター記録媒体５からの再生信号から、図６に示す映像識別情報（ＵＭＩＤ）を毎フレーム抽出し（Ｓ４０２）、フレーム毎に抽出した映像識別情報（ＵＭＩＤ）に欠落がないかを判別し、抽出した映像識別情報（ＵＭＩＤ）および欠落の有無の判別情報を、映像識別情報（ＵＭＩＤ）抽出結合制御部９及び出力選択部１２に出力する（Ｓ４０４）。映像識別情報（ＵＭＩＤ）が欠落した映像信号に関しては、マスター記録媒体５から再生された低解像度映像信号をそのまま出力する（Ｓ４０９）。
【００４９】
アップコンバート部１１は、マスター記録媒体５から再生された低解像度映像信号を水平及び垂直フィルターを通して画素補間を行い、ｎ倍の高解像度映像信号へ変換し出力選択部１２へ出力する（Ｓ４０６）。
【００５０】
映像識別情報（ＵＭＩＤ）抽出結合制御部９は、空間分割された１／ｎの分割映像信号を１フレームの高解像度映像信号に結合するために、分割映像それぞれの映像識別情報（ＵＭＩＤ）を解読分析し、映像空間結合部１０へ適切なタイミングで制御信号を出力する（Ｓ４１０）。映像空間結合部１０は、スレーブ記録媒体群６で再生された空間分割映像を、映像識別情報（ＵＭＩＤ）中のコンテンツＩＤと１／ｎ分割位置ＩＤとフレームＮｏの情報とを用いて、元の高解像度映像に結合し、出力選択部１２に出力する（Ｓ４０５）。
【００５１】
映像識別情報（ＵＭＩＤ）抽出結合制御部９は、映像空間結合部１０で生成される高解像度映像信号と、アップコンバート部１１で生成される高解像度映像信号と低解像度映像信号のそれぞれの出力タイミングを制御する信号を、それぞれのブロックに出力する。さらに、映像識別情報（ＵＭＩＤ）抽出結合制御部９は、映像識別情報（ＵＭＩＤ）抽出部８で抽出した映像識別情報（ＵＭＩＤ）の欠落情報を解析し、映像空間結合部１０で、正しく分割映像を結合できない場合に備え、映像空間結合部１０で生成される高解像度映像信号と、アップコンバート部１１で生成される高解像度映像信号のどちらを最終出力するのかの選択信号を、出力選択部１２へ出力する（Ｓ４１０）。
【００５２】
これにより、スレーブ記録媒体７のそれぞれがどのような並びの構成であっても、図６で示すコンテンツＩＤと１／ｎ分割位置ＩＤとフレームＮｏの情報とから高解像度映像を正しく結合できる作用を有する。
【００５３】
出力選択部１２は、映像識別情報（ＵＭＩＤ）抽出結合制御部９にて、図５で示すマスター記録媒体５からのコンテンツＩＤとフレームＮｏの情報と、図６で示すスレーブ記録媒体群６のコンテンツＩＤと１／ｎ分割位置ＩＤとフレームＮｏの情報とから、いずれかの空間分割映像信号が欠如した状態になっていないかを映像識別情報（ＵＭＩＤ）抽出結合制御部９にて判断し、その判断情報信号を受信することにより、映像空間結合部１０にて生成された高解像度映像信号を使用するか、アップコンバート部１１にて生成された高解像度映像信号を使用するかを選択し（Ｓ４０７）、高解像度映像信号として出力する（Ｓ４０８）。これにより、スレーブ記録媒体７の１つの情報が欠けた場合などでも高解像度映像信号を絶やさず出力することができる作用を有する。
【００５４】
なお、出力選択部１２は、いずれかの空間分割映像信号が欠如した場合に、アップコンバート部１１にて生成された高解像度映像信号を使用するとしたが、これに限られず、例えば、通常再生時には、より高精細な映像空間結合部１０にて生成された高解像度映像信号を使用し、早送り等の特殊再生時には、アップコンバート部１１にて生成された高解像度映像信号を使用するとしてもよい。これにより、再生形態に合わせて、適切な高解像度映像信号を再生することができる。
【００５５】
（３．まとめ）
以上のように本実施の形態による記録装置及び再生装置によれば、入力された高解像度映像信号の１フレームの映像信号について、解像度を変換した変換済映像及び空間的に分割した分割映像を生成し、変換済映像及び分割映像に互いを関連づける映像識別情報を付与することにより、記録された映像を再生する際に、分割された映像信号の一部が欠落した場合においても、解像度を変換した変換済映像を再生することによって、映像を途切れることなく再生することができる。
【００５６】
また、分割映像を記録するに際して、スレーブ記録媒体に、コンテンツＩＤと１／ｎ分割位置ＩＤとフレームＮｏの情報とを併せて記録することによって、スレーブ記録媒体のそれぞれがどのような並びの構成であっても、高解像度映像を正しく結合することができる。
【００５７】
また、記録された映像を再生するに際して、通常再生時には分割映像を結合した映像を、特殊再生時には解像度変換を行った映像を選択して出力することにより、再生形態に合わせて、適切な高解像度映像信号を再生することができる。
【産業上の利用可能性】
【００５８】
本実施の形態に係る記録装置及び再生装置は、入力された映像信号に対して、空間的な分割、または解像度の変換を行い、複数の記録媒体に記録するとともに、複数の記録媒体に記録された映像を再生するものであり、分割された映像信号の一部が欠落した場合においても、映像を途切れることなく再生することができるので、映像機器関連産業分野において、適用することができ、有用である。
【符号の説明】
【００５９】
１  映像空間分割部
２  ダウンコンバート部
３  映像識別情報（ＵＭＩＤ）付与制御部
４  映像識別情報（ＵＭＩＤ）付与部
５  マスター記録媒体
６  スレーブ記録媒体群
７  スレーブ記録媒体
８  映像識別情報（ＵＭＩＤ）抽出部
９  映像識別情報（ＵＭＩＤ）抽出結合制御部
１０  映像空間結合部
１１  アップコンバート部
１２  出力選択部
１３  出力同期制御部
【図１】
2011091478.tif 000003
【図２】
2011091478.tif 000004
【図３】
2011091478.tif 000005
【図４】
2011091478.tif 000006
【図５】
2011091478.tif 000007
【図６】
2011091478.tif 000008